(57)【要約】【課題】記録媒体の幅方向に対し、吸引力を作用させる部分を簡単に変更することができるプラテン装置およびこれを備えた印刷装置を提供する。【解決手段】印刷ヘッド４１に対峙し、送られてゆくロール紙Ｐに吸引力を作用させるプラテン装置５０であって、ロール紙Ｐの送り方向に直交する方向において、ロール紙Ｐが接する表面側が円形吸引口８３を有する複数の個別吸引領域７５に領域分けされたプラテン３４と、プラテン３４に設けられ、複数の個別吸引領域７５の円形吸引口８３をそれぞれ開閉するための複数のシャッター８５と、を備えたものである。【選択図】図５
2014172393.tif 000002
【特許請求の範囲】
【請求項１】
印刷ヘッドに対峙し、送られてゆく記録媒体に吸引力を作用させるプラテン装置であって、
前記記録媒体の送り方向に直交する方向において、前記記録媒体が接する表面側が吸引口を有する複数の吸引領域に領域分けされたプラテンと、
前記プラテンに設けられ、前記複数の吸引領域の前記吸引口をそれぞれ開閉するための複数のシャッターと、を備えたことを特徴とするプラテン装置。
【請求項２】
前記複数の吸引領域は、前記プラテンの表面に突設され、前記送り方向に延在する複数のリブ状ガイドにより領域分けされ、
前記各吸引口は、隣接する２つの前記リブ状ガイド間に位置する前記プラテンの凹部表面に形成され、
前記各シャッターは、前記凹部表面に没入するように配設されていることを特徴とする請求項１に記載のプラテン装置。
【請求項３】
前記各シャッターは、前記吸引口を開放する開放位置と閉塞する閉塞位置との間で、前記送り方向に進退自在に構成され、
前記各シャッターには、前記開放位置で前記吸引口に連通する貫通口が形成されていることを特徴とする請求項２に記載のプラテン装置。
【請求項４】
前記リブ状ガイドの側面には、クリック突起が設けられ、
前記シャッターには、前記開放位置および前記閉塞位置において前記クリック突起に係合する２つのクリック溝が設けられていることを特徴とする請求項３に記載のプラテン装置。
【請求項５】
前記複数のシャッターをそれぞれ開閉動作させる複数のアクチュエータと、
前記複数のアクチュエータを個々に制御する制御部と、を更に備え、
前記制御部は、入力した前記記録媒体の種別に基いて、前記複数のアクチュエータを選択的に制御することを特徴とする請求項１ないし４のいずれかに記載のプラテン装置。
【請求項６】
前記複数のシャッターをそれぞれ開閉動作させる複数のアクチュエータと、
前記複数のアクチュエータを個々に制御する制御部と、を更に備え、
前記制御部は、入力した前記記録媒体廻りの雰囲気の温度および湿度に基いて、前記複数のアクチュエータを選択的に制御することを特徴とする請求項１ないし４のいずれかに記載のプラテン装置。
【請求項７】
印刷ヘッドに対峙し、送られてゆく記録媒体に吸引力を作用させるプラテン装置であって、
前記記録媒体の送り方向に直交する方向において、記録媒体が接する表面側が吸引口を有する複数の吸引領域に領域分けされたプラテンと、
前記複数の吸引領域に対応して前記プラテンに設けられ、前記吸引口に連通する複数の吸引チャンバーと、
前記複数の吸引チャンバーにそれぞれ連なる複数のエアー流路と、
前記複数のエアー流路が合流すると共に、エアー吸引源に連なる合流流路と、
前記複数のエアー流路にそれぞれ介設され、前記エアー流路を開閉するための複数のダンパーと、を備えたことを特徴とするプラテン装置。
【請求項８】
前記複数のダンパーをそれぞれ開閉動作させる複数のアクチュエータと、
前記複数のアクチュエータを個々に制御する制御部と、を更に備えたことを特徴とする請求項７に記載のプラテン装置。
【請求項９】
請求項１ないし８のいずれかに記載のプラテン装置と、
インクジェット方式の前記印刷ヘッドと、を備えたことを特徴とする印刷装置。
【発明の詳細な説明】
【技術分野】
【０００１】
本発明は、送られてゆく記録媒体に吸引力を作用させるプラテン装置およびこれを備えた印刷装置に関するものである。
【背景技術】
【０００２】
従来、この種のプラテン装置として、インクジェット方式のロール紙プリンターにおいて、インクジェットヘッドに対峙するように設けた吸引プラテン機構が知られている（特許文献１参照）。
この吸引プラテン機構は、インクジェットヘッドに対峙するプラテン面と、プラテン面に沿って搬送される記録紙を、プラテン面に吸引する吸引機構と、を備えている。プラテン面には、記録紙の搬送方向に直交する幅方向のほぼ中央に位置して第１吸引領域が設けられ、その両側に２つの第２吸引領域が設けられている。第１吸引領域と第２吸引領域とは、プラテン面に立設したリブにより仕切られ、また第２吸引領域は、複数のリブによりさらに複数の細分化領域に仕切られている。そして、第１吸引領域には、吸引ファンに連なる格子状の吸引開口が設けられ、また第２吸引領域には、各細分化領域に位置して吸引ファンに連なる吸引孔が設けられている。これにより、幅狭な記録紙に対しては空気漏れが抑制され、幅広の記録紙に対しては両側の浮き上がりが防止される。
【先行技術文献】
【特許文献】
【０００３】
【特許文献１】特開２０１０−２０１６８３号公報
【発明の概要】
【発明が解決しようとする課題】
【０００４】
このような、従来の吸引プラテン機構では、幅狭な記録紙に対しては空気漏れが抑制すべく、第１吸引領域に対し第２吸引領域の吸引力が小さくなるように設計されている。このため、幅方向両端部が浮き上がるような「反り」を生ずる厚紙等では、第２吸引領域の吸引力不足により、「反り」を解消できないまま記録紙が搬送（印刷）されてしまう問題がある。
例えば、紙台紙に粘着剤付きのプラスチックフィルムを貼着した合成ラベル紙等では、高温・多湿下において、台紙が湿気を含み（膨潤）幅方向両端が浮き上がる「反り」を生ずる。このような記録紙では、プラテン面上において「反り」を生じた状態で搬送されることになり、適切なペーパーギャップを維持することができず印刷品質が悪化し、或いは記録紙がインクジェットヘッドに干渉する等の問題があった。
【０００５】
本発明は、記録媒体の幅方向に対し、吸引力を作用させる部分を簡単に変更することができるプラテン装置およびこれを備えた印刷装置を提供することを課題としている。
【課題を解決するための手段】
【０００６】
本発明のプラテン装置は、印刷ヘッドに対峙し、送られてゆく記録媒体に吸引力を作用させるプラテン装置であって、記録媒体の送り方向に直交する方向において、記録媒体が接する表面側が吸引口を有する複数の吸引領域に領域分けされたプラテンと、プラテンに設けられ、複数の吸引領域の吸引口をそれぞれ開閉するための複数のシャッターと、を備えたことを特徴とする。
【０００７】
この構成によれば、複数の吸引領域にそれぞれシャッターを設けるようにしているため、複数のシャッターの選択的な開閉により、複数の吸引領域を介して、送られてゆく記録媒体に対し、部分的に且つ選択的に吸引力を作用させることができる。また、シャッターにより、吸引口を開閉する構造であるため、吸引力を作用させるか否かの構造を単純化することができる。すなわち、記録媒体の幅方向に対し、吸引力を作用させる部分を簡単に変更することができる。なお、シャッターは、吸引口の内側（チャンバー内）に設けてもよいし、外側（プラテンの表面）に設けてもよい。
【０００８】
この場合、複数の吸引領域は、プラテンの表面に突設され、送り方向に延在する複数のリブ状ガイドにより領域分けされ、各吸引口は、隣接する２つのリブ状ガイド間に位置するプラテンの凹部表面に形成され、各シャッターは、凹部表面に没入するように配設されていることが好ましい。
【０００９】
この構成によれば、各シャッターが、凹部表面に没入するように配設されているため、シャッターをプラテンに簡単に作り込むことができると共に、シャッターが、送られてゆく記録媒体の障害となることがない。また、閉状態のシャッターには、吸引口を介して吸引力が作用するため、シャッターは、凹部表面に密接することになる。このため、閉状態のシャッターからのエアーのリークを極力少なくすることができると共に、シャッターを薄手のもので構成することができる。しかも、シャッターの一部（例えば操作部）が、チャンバーを貫通することがないため、この点でも、無用なエアーのリークを少なくすることができる。
【００１０】
この場合、各シャッターは、吸引口を開放する開放位置と閉塞する閉塞位置との間で、送り方向に進退自在に構成され、各シャッターには、開放位置で吸引口に連通する貫通口が形成されていることが好ましい。
【００１１】
この構成によれば、シャッターの開閉操作を簡単に行うことができる。また、シャッターに吸引口に連通する貫通口を設けることにより、シャッターの開閉ストロークを短くすることができる。さらに、シャッターの表面に凸部等を設けるだけで、操作用の指掛け部を簡単に形成することができる。なお、１つのシャッターが受け持つ１つの吸引領域に、等間隔で複数の吸引口を列設することが好ましく、かかる場合には、シャッターに、吸引口と同じピッチで貫通口を形成することが好ましい。
【００１２】
また、リブ状ガイドの側面には、クリック突起が設けられ、シャッターには、開放位置および閉塞位置においてクリック突起に係合する２つのクリック溝が設けられていることが好ましい。
【００１３】
この構成によれば、シャッターの開閉動作において、開放位置および閉塞位置がクリック感により認識できるため、シャッターの開閉操作を簡単且つ正確に行うことができる。
【００１４】
一方、各シャッターを開閉動作させる複数のアクチュエータと、複数のアクチュエータを個々に制御する制御部と、を更に備え、制御部は、入力した記録媒体の種別に基いて、複数のアクチュエータを選択的に制御することが好ましい。
【００１５】
この構成によれば、シャッターを、アクチュエータを用いて自動化することで、記録媒体の種別に応じたシャッターの選択的開閉を実現することができる。これにより、記録媒体の種別に合わせて、吸引力を作用させる部分を変更することができ、各種の記録媒体を、プラテンに適切に密接させつつ送ることができる。なお、アクチュエータは、例えばソレノイドで構成することが好ましい。また、マニュアル入力或いは検出入力を問わず、記録媒体の種別に対する複数のアクチュエータの制御内容を、制御テーブルで用意しておくことが好ましい。
【００１６】
同様に、複数のシャッターをそれぞれ開閉動作させる複数のアクチュエータと、複数のアクチュエータを個々に制御する制御部と、を更に備え、制御部は、入力した記録媒体廻りの雰囲気の温度および湿度に基いて、複数のアクチュエータを選択的に制御することが好ましい。
【００１７】
この構成によれば、シャッターを、アクチュエータを用いて自動化することで、記録媒体廻りの雰囲気の温度および湿度に応じたシャッターの選択的開閉を実現することができる。これにより、記録媒体に生ずる反り等を考慮して、吸引力を作用させる部分を変更することができ、温度および湿度により性状が変化する各種の記録媒体を、プラテンに適切に密接させつつ送ることができる。なお、アクチュエータは、例えばソレノイドで構成することが好ましい。また、マニュアル入力或いは検出入力を問わず、記録媒体廻りの雰囲気の温度および湿度に対する複数のアクチュエータの制御内容を、制御テーブルで用意しておくことが好ましい。
【００１８】
本発明の他のプラテン装置は、印刷ヘッドに対峙し、送られてゆく記録媒体に吸引力を作用させるプラテン装置であって、記録媒体の送り方向に直交する方向において、記録媒体が接する表面側が吸引口を有する複数の吸引領域に領域分けされたプラテンと、複数の吸引領域に対応してプラテンに設けられ、吸引口に連通する複数の吸引チャンバーと、複数の吸引チャンバーにそれぞれ連なる複数のエアー流路と、複数のエアー流路が合流すると共に、エアー吸引源に連なる合流流路と、複数のエアー流路にそれぞれ介設され、エアー流路を開閉するための複数のダンパーと、を備えたことを特徴とする。
【００１９】
この構成によれば、複数の吸引領域に対応して、複数のエアー流路にダンパーをそれぞれ設けるようにしているため、複数のダンパーの選択的な開閉により、複数の吸引領域を介して、送られてゆく記録媒体に対し、部分的に且つ選択的に吸引力を作用させることができる。また、ダンパーにより、エアー流路を開閉する構造であるため、吸引力を作用させるか否かの構造を単純化することができる。すなわち、記録媒体の幅方向に対し、吸引力を作用させる部分を簡単に変更することができる。なお、複数のエアー流路は、隔板を設けたダクトで構成することが好ましい。また、ダンパーは、回転式のものとすることが好ましい。
【００２０】
この場合、複数のダンパーをそれぞれ開閉動作させる複数のアクチュエータと、複数のアクチュエータを個々に制御する制御部と、を更に備えることが好ましい。
【００２１】
この構成によれば、ダンパーを、アクチュエータを用いて自動化することで、記録媒体の種別や性状に応じたシャッターの選択的開閉を実現することができる。なお、アクチュエータは、ロータリー式のソレノイドで構成することが好ましい。
【００２２】
本発明の印刷記載は、上記したプラテン装置と、インクジェット方式の印刷ヘッドと、を備えたことを特徴とする。
【００２３】
この構成によれば、記録媒体の幅方向に対し、吸引力を作用させる部分を簡単に変更することができるため、材質や性状の異なる各種の記録録媒体を、適切に印刷送りすることができる。したかって、印刷ヘッドと記録媒体との間のペーパーギャップを適切に維持することができ、印刷品質を安定させることができる。
【図面の簡単な説明】
【００２４】
【図１】実施形態に係る印刷装置の外観斜視図である。
【図２】実施形態に係る印刷装置の開蓋状態の外観斜視図である。
【図３】実施形態に係る印刷装置の内部構造を示す断面図である。
【図４】プラテン装置の全体斜視図である。
【図５】プラテン廻りの部分分解斜視図である。
【図６】プラテン廻りの平面図である。
【図７】プラテンの横断面図である。
【図８】シャッターの斜視図である。
【図９】第２実施形態に係るプラテン装置の模式図である。
【図１０】第３実施形態に係るプラテン装置の模式図である。
【発明を実施するための形態】
【００２５】
以下、添付の図面を参照して、本発明の一実施形態に係るプラテン装置およびこれを備えた印刷装置について説明する。この印刷装置は、主としてロール紙（記録媒体）に印刷を行うインクジェットプリンタであり、印刷時に適切なペーパーギャップを維持すべく、印刷に際し送られてゆく記録媒体に吸引力を作用させるプラテン装置を備えている。また、プラテン装置は、エアー吸引源に接続されたプラテンを有し、プラテンは、記録媒体に常時吸引力を作用させる領域と、シャッター操作により、選択的に吸引力を作用させる領域とに領域分けされている。
【００２６】
図１は、第１実施形態に係る印刷装置の外観斜視図であり、図２は、その開蓋状態の外観斜視図である。両図に示すように、印刷装置１は、略立方体の外観形状を有し、その前面には、印刷装置１の内部を開放するための開閉蓋２が設けられている。また、印刷装置１の前面には、開閉蓋２の右側に位置して、下側から電源ボタン３、インクカートリッジの収納部を開閉するサブ開閉蓋４、カッターボタン等の操作ボタン５および各種の表示ランプ６がそれぞれ配設されている。一方、印刷装置１の後面には、その上部に位置して手差し用の給紙口７が形成され（図３参照）、下部に位置して後述する吸引ファン５１（エアー吸引源）の排気口８が開口している（図４参照）。
【００２７】
開閉蓋２は、蓋本体１１と、蓋本体１１の上端部に突設した排紙ガイド１２と、排紙ガイド１２の左側に配設した開閉レバー１３と、有している。そして、排紙ガイド１２の上側には、本体ケース１４との間に排紙口１５が構成されている。開閉レバー１３を操作して蓋本体１１のロックを解除すると共に、排紙ガイド１２を手前に引くことにより、開閉蓋２が下側の基端を中心に開放動作される。これにより、印刷装置１の内部に構成されたロール紙収納部１７が解放され、ドロップイン方式でロール紙Ｐの交換が可能となる。また、詳細は後述するが、開閉蓋２の開放に伴ってプラテン３４が引き出され、ロール紙Ｐの紙送り経路３１が開放される。
【００２８】
図３に示すように、印刷装置１の内部には、主体を為す本体フレーム２１と、本体フレーム２１の上側に配設され、主として後述の印刷機構３３を支持する印刷部フレーム２２と、印刷部フレーム２２の下側に配設され、主として後述のプラテン３４を支持するプラテン部フレーム２３と、が設けられている。本体フレーム２１には、ロール紙収納部１７を構成する周面ガイド２５、および左右一対の側面ガイド２６が支持されており（図２も参照）、両側面ガイド２６は、投入したロール紙Ｐの幅に合わせて幅調整可能（センター中心）に構成されている。
【００２９】
プラテン３４を支持するプラテン部フレーム２３は、開閉蓋２に連結されたリンク機構２７に支持されている。このリンク機構２７は、プラテン部フレーム２３を可動側の１のリンクとし、本体フレーム２１を固定側の１のリンクとする、４節の平行リンク機構で構成されている。開閉蓋２を開放すると、これに引かれるようにリンク機構２７が作動し、プラテン３４およびプラテン部フレーム２３は、略水平姿勢を維持しながら、開放した開閉蓋２の裏側に載る形で外部に開放される（図２参照）。これにより、ロール紙収納部１７が広く開放されると共に、ロール紙Ｐの紙送り経路３１も開放されることとなる。また、開閉蓋２を閉塞すると、プラテン３４およびプラテン部フレーム２３は、略水平姿勢を維持しながら元の位置にセットされる。
【００３０】
印刷装置１の内部には、ロール紙Ｐをドロップイン方式で収納するロール紙収納部１７と、ロール紙収納部１７の後端から上方に延び、更に排紙口１５まで水平に延びる紙送り経路３１と、紙送り経路３１に沿ってロール紙Ｐを繰り出しながら送る紙送り機構３２と、紙送り経路３１の水平経路部分に上側から臨む印刷機構３３と、紙送り経路３１を挟んで印刷機構３３に対峙するプラテン３４と、が設けられている。また、排紙口１５の近傍には、紙送り経路３１に臨んでロール紙Ｐをカットするカッター３５が設けられている。
【００３１】
紙送り機構３２は、ロール紙収納部１７の斜め後方に配設した給紙ローラー３６と、紙送り経路３１の経路変更部分に配設したテンションガイド３７と、プラテン３４の上流側近傍に配設した送りローラー３８と、プラテン３４の下流側近傍に配設した排紙ローラー３９と、を有している。給紙ローラー３６、送りローラー３８および排紙ローラー３９は、駆動ローラーおよび従動ローラーから成る、いわゆるニップローラで構成されている。
【００３２】
テンションガイド３７は、上下方向に回動自在に且つ上方に回動付勢され、巻回状態のロール紙Ｐをロール紙収納部１７から円滑に繰り出すべく、給紙ローラー３６と送りローラー３８との間でロール紙Ｐに一定のテンションを付与する。一方、送りローラー３８に対し排紙ローラー３９は、僅かに周速が速くなるように（スリップ回転する）構成されており、プラテン３４上を送られてゆくロール紙Ｐに一定のテンション付与する（張りを持たせる）。
【００３３】
給紙ローラー３６、送りローラー３８および排紙ローラー３９は、同期回転し、ロール紙Ｐを紙送り経路３１に沿って送る。詳細は後述するが、印刷時のおける紙送り機構３２は、印刷機構３３に同期してロール紙Ｐを間欠送り（改行送り）する。また、紙送り機構３２は、例えばロール紙Ｐをセットした直後の空送り時には、上記の操作ボタン５の押釦により、ロール紙Ｐを連続送りする。同様に、空送りされたロール紙Ｐは、操作ボタン５の押釦により、先端側をカッター３５により切断され、その後、僅かに逆送りされることで、印刷直前のいわゆる頭出しが行われる。
【００３４】
印刷機構３３は、インクジェットヘッドである印刷ヘッド４１と、印刷ヘッド４１を搭載したキャリッジ４２と、キャリッジ４２を左右方向に移動自在に支持するガイド軸４３と、キャリッジ４２をガイド軸４３に沿って、左右方向に移動させる移動機構４４と、を有している。印刷ヘッド４１は、上記のインカートリッジからＹ・Ｍ・Ｃ・Ｂの４色のインクを導入し、これら４色のインクを選択的に吐出してカラー印刷を行う。
【００３５】
移動機構４４は、特に図示しないが、主動プーリーおよび従動プーリー間に架け渡したタイミングベルトと、主動プーリーを介して、タイミングベルトを正逆走行させるキャリッジモーターと、を有している。タイミングベルトの一部は、キャリッジ４２が固定されており、キャリッジモーターを正逆回転させることにより、キャリッジ４２に搭載された印刷ヘッド４１が左右方向に往復動する。
【００３６】
すなわち、移動機構４４により、印刷ヘッド４１を左右方向に往動および復動させながら、印刷ヘッド４１を駆動させて４色のインクを選択的に吐出することで、印刷が行われ（主走査）、且つ往動と復動との間において、紙送り機構３２によるロール紙Ｐの行送り（副走査）が行われる。これにより、ロール紙Ｐに一連のカラー印刷が実施される。一連のカラー印刷が実施され更に余白分の送りが行われると、ロール紙Ｐの送りが停止し、カッター３５が作動してロール紙Ｐの印刷済み部分が切り離される（排紙）。
【００３７】
図３および図４に示すように、実施形態のプラテン３４は、本体フレーム２１の後部に支持された吸引ファン５１と、この吸引ファン５１とプラテン３４とを接続する吸引ダクト５２と、によりプラテン装置５０を構成している。詳細は後述するが、プラテン装置５０は、紙送り機構３２より送られてゆくプラテン３４上のロール紙Ｐに吸引力を作用させ、印刷に供するロール紙Ｐの部分を平坦に維持する。これにより、ロール紙Ｐと印刷ヘッド４１との間隙、すなわちペーパーギャップが適切に維持される。
【００３８】
上述のように、プラテン３４は、開閉蓋２の開閉に伴って移動するが、吸引ファン５１は、印刷装置１の後部に固定的に内蔵されている。このため、実施形態の吸引ダクト５２は、プラテン３４側に取り付けられ、プラテン３４と共に移動するプラテン側ダクト５４と、吸引ファン５１側に取り付けられたファン側ダクト５５とにより構成されている。すなわち、プラテン側ダクト５４とファン側ダクト５５とは、離接自在に構成されている。開閉蓋２を閉塞した状態では、プラテン側ダクト５４の下流端とファン側ダクト５５の上流端とが、気密に接続されており、この状態から開閉蓋２を開放すると、プラテン側ダクト５４がファン側ダクト５５から離れ、離間するようになっている。
【００３９】
吸引ファン５１は、例えば遠心送風機で構成され、吸気側にはファン側ダクト５５が接続され、送気側には上記の排気口８を有する排気ダクト５６が接続されている。吸引ファン５１は、電源のＯＮ−ＯＦＦに同期して駆動し、紙送り機構３２により送られてゆくロール紙Ｐに、プラテン３４を介して吸引力を作用させる。ロール紙Ｐが間欠送りされる実際の印刷動作においてプラテン３４は、ロール紙Ｐが停止している状態ではこれを吸着し、ロール紙Ｐが送られている状態ではこれに吸引力（吸着力）を作用させる。
【００４０】
図４ないし図７に示すように、プラテン３４は、上板６１に右側（片側）寄せるようにして広い吸引領域６０を有すると共に、内部に吸引領域６０に連通する吸引チャンバー６２を有して、箱状に形成されている。実施形態のプラテン３４は、吸引領域６０を含む上板６１や四周の側板６３が一体に成型され、これに底板６４を取り付けて構成されている（図７参照）。プラテン３４の左奥には、プラテン側ダクト５４が接続されており、吸引チャンバー６２は、このプラテン側ダクト５４および上記のファン側ダクト５５を介して、吸引ファン５１に連通している（図４参照）。
【００４１】
図５および図６に示すように、吸引領域６０は、左右の中間部に位置する第１吸引領域７１と、第１吸引領域７１の左右両側に配設され、台形状の一対の第２吸引領域７２と、各第２吸引領域７２の左右外側にそれぞれ配設された一対の第３吸引領域７３と、を有している。さらに、第１吸引領域７１は、複数（実施形態のものは３つ）の細分化領域７４を有し、各第３吸引領域７３は、複数（実施形態のものは４つ：合計で８つ）の個別領域７５を有している。
【００４２】
具体的には、第１吸引領域７１は、ロール紙Ｐの送り方向に延びる４本の第１ガイドリブ７７により、３つの細分化領域７４に領域分けされている。また、各第２吸引領域７２は、外端の第１ガイドリブ７７とロール紙Ｐの送り方向に対し幾分斜めに延びる第２ガイドリブ７８とにより領域分けされている。さらに、各第３吸引領域７３は、内端の第２ガイドリブ７８を含む５本の第２ガイドリブ７８（リブ状ガイド）により、４つの個別領域７５に領域分けされている。
【００４３】
第１ガイドリブ７７および第２ガイドリブ７８は、同一の高さを有しており、上板６１における吸引領域６０以外の部分に対し突出している。また、複数の第１ガイドリブ７７および複数の第２ガイドリブ７８の相互間における吸引領域６０の部分は、上板６１が窪入形成されている。センター中心で送られるロール紙Ｐのうち、幅の狭いロール紙Ｐは、複数の第１ガイドリブ７７上に載った形で送られ、幅の広いロール紙Ｐは、複数の第１ガイドリブ７７および複数の第２ガイドリブ７８上に載った形で送られる（図７参照）。
【００４４】
第１吸引領域７１の各細分化領域７４には、上板６１に代えて縦横の格子部材８１が設けられ、この格子部材８１間の空隙に複数の矩形吸引口８２が構成されている。また、第２吸引領域７２には、上板６１に３つの円形吸引口８３が形成されている。第１吸引領域７１の複数の矩形吸引口８２と第２吸引領域７２の各３つの円形吸引口８３とは、吸引チャンバー６２に常時連通しており、吸引ファン５１の駆動により、ロール紙Ｐを常時吸引するようになっている。
【００４５】
一方、各第３吸引領域７３の各個別領域７５には、上板６１に５つの円形吸引口８３が形成されている。５つの円形吸引口８３は、第２ガイドリブ７８と平行に且つ等間隔で列設されており、各個別領域７５には、この５つの円形吸引口８３を同時に開閉すべく、上板６１上に位置してシャッター８５が設けられている。そして、各シャッター８５は、隣接する２つの第２ガイドリブ７８間に構成された上板６１の凹部表面８６に対し、前後方向にスライド自在に、且つ凹部表面８６に没入するように配設されている。このように配設されたシャッター８５により、一対の第３吸引領域７３において、計８つの個別領域７５の円形吸引口８３は、個別領域７５の単位で選択的に開閉されるようになっている。
【００４６】
図５、図７および図８に示すように、各シャッター８５は、隣接する第２ガイドリブ７８間の幅に対応する幅と、５つの円形吸引口８３を包含する長さを有し、ベース板９１と両サイド板９２とで断面「Ｕ」字状に一体に形成されている。ベース板９１は、上板６１の凹部表面８６にスライド自在に密接し、各サイド板９２は、第２ガイドリブ７８にスライド自在に接触する。また、ベース板９１には、５つの円形吸引口８３と同ピッチであって同径の４つの円形貫通口９３が形成されている。さらに、シャッター８５の前後中間位置には、ベース板９１を横断するように断面山形の指掛け部９４が突設されている。なお、円形吸引口８３や円形貫通口９３は、縁部が面取りされているため、図示では２重線で表されている。
【００４７】
指掛け部９４によりシャッター８５を、個別領域７５の上流側端部に突き当てるように前進させた前進位置では、５つの円形吸引口８３が、シャッター８５の４つの円形貫通口９３に対し位置ズレして、５つの円形吸引口８３は閉塞状態となる。また、シャッター８５を、個別領域７５の下流側端部に突き当てるように後退させた後退位置では、５つの円形吸引口８３のうち、１つの円形吸引口８３がシャッター８５から外れ、且つ４つの円形吸引口８３が４つの円形貫通口９３に合致して、５つの円形吸引口８３は開放状態となる。
【００４８】
各サイド板９２には、「Ｖ」字状の第１クリック溝１０２と円弧状の第２クリック溝１０３とから成る前後２組（一対）のクリック溝１０１が形成されている。また、第１クリック溝１０２と第２クリック溝１０３との間には、サイド板９２の上端より低く形成された摺接部１０４が形成されている。さらに、各サイド板９２には、摺接部１０４に平行して、第１クリック溝１０２から第２クリック溝１０３を越えて延びるスリット部１０５が形成されている。これにより、サイド板９２における、第１クリック溝１０２の半部、摺接部１０４および第２クリック溝１０３の形成部分が、上下方向のばね性を奏するようになっている。なお、ベース板９１の表面突設した「Ｔ」字状の部分は、補強部１０６である。
【００４９】
一方、各第２ガイドリブ７８の側壁面には、前後２組のクリック溝１０１に対応して、前後一対のクリック突起１０８が設けられている。各クリック突起１０８は、正面視半円状に形成され、第２ガイドリブ７８の側壁面から突出している。シャッター８５が、前進位置に移動している閉塞状態では、前後一対の第２クリック溝１０３がそれぞれクリック突起１０８に係合し、後退位置に移動している開放状態では、前後一対の第１クリック溝１０２がそれぞれクリック突起１０８に係合する。前進位置から後退位置への移動、および後退位置から前進位置への移動の際には、シャッター８５の摺接部１０４がクリック突起１０８に摺接する。これにより、シャッター８５の開閉に際しクリック間が得られ、シャッター８５を確実に開閉することができる。
【００５０】
なお、第１クリック溝１０２は、半割りの構造となっており、ベース板９１まで延びるこの半割りの溝の部分を、クリック突起１０８に位置合わせした状態でシャッター８５を押し込むことで、シャッター８５が凹部表面８６に着脱自在にセットされる。これにより、シャッター８５は、簡単に交換できるようになっている。
【００５１】
このように構成されたプラテン装置５０では、幅狭なロール紙Ｐを導入した場合には、全てのシャッター８５を閉塞状態として、ロール紙Ｐを送ることが好ましい。これにより、エアーのリークを抑制しつつ、ロール紙Ｐの全域をプラテン３４に密接することができる。もっとも、内側の２または４つのシャッター８５を閉塞状態とし、インク吐出によるインクミストを積極的に吸引するようにしてもよい。係る場合には、吸引チャンバー６２内にインクミストを捕集するフィルターを組み込むことが好ましい。
【００５２】
一方、幅広なロール紙Ｐを導入した場合には、全てのシャッター８５を開放状態として、ロール紙Ｐを送ることが好ましい。これにより、エアーのリークを抑制しつつ、ロール紙Ｐの全域をプラテン３４に密接することができる。また、「反り」の生じ易い紙台紙の合成ラベル紙等のロール紙Ｐを導入する場合には、例えば内側の４つのシャッター８５を閉塞状態とし、外側の４つシャッター８５を開放状態として、ロール紙Ｐを送ることが好ましい。内側の４つのシャッター８５を閉塞状態とすることにより、ロール紙Ｐに対する吸引力が増し（全体の吸引流量は一定）、「反り」に抗してロール紙Ｐを平坦に吸着することができる。
【００５３】
以上のように、本実施形態によれば、複数（８つ）の個別領域７５にそれぞれシャッター８５を設けるようにしているため、複数のシャッター８５の選択的な開閉により、複数の個別領域７５を介して、送られてゆくロール紙Ｐに対し、部分的に且つ選択的に吸引力を作用させることができる。すなわち、ロール紙Ｐの種別や性状等に合わせて、ロール紙Ｐの吸着形態を変更することができる。したがって、導入する各種のロール紙Ｐを、プラテン３４上において適正な姿勢とすることができ、印刷品質を安定に維持することができる。
【００５４】
また、各シャッター８５が、凹部表面８６に没入するように配設されているため、シャッター８５をプラテン３４に簡単に作り込むことができると共に、シャッター８５が、送られてゆくロール紙Ｐの送り障害となることがない。さらに、シャッター８５を、凹部表面８６、すなわちプラテン３４の上板６１の表面に配設するようにしているため、閉塞状態のシャッター８５を、吸引力を利用して上板６１の表面に密接させることができ、閉塞状態のシャッター８５からのエアーのリークを極力少なくすることができる。
【００５５】
次に、図９を参照して、第２実施形態に係るプラテン装置５０Ａに付き、主に第１実施形態と異なる部分について説明する。同図は、一方の第３吸引領域７３を模式的に表したものであり、この実施形態では、各シャッター８５が自動で開閉するようになっている。各シャッター８５には、シャッター操作子１１１を介してアクチュエータであるソレノイド１１２が接続されている。ソレノイド１１２は、例えば２ポジション（複動）の小型のものを用いることが好ましい。
【００５６】
各ソレノイド１１２は、制御部１１３に接続され、また制御部１１３は入力部１１４に接続されており、制御部１１３は、入力部１１４からの入力情報に基づいて、複数（８つ）のソレノイド１１２を個別に制御する。入力部１１４は、例えば投入したロール紙ＰのＲＦＩＤ、バーコード、２次元コード、ブラックマークを読み取る読取り部１１５を有し、読み取ったロール紙Ｐの種別を制御部１１３に出力する。制御部１１３は、ロール紙Ｐの種別と、複数のシャッター８５の開閉との関係を規定した制御テーブル１１６を有しており、ロール紙Ｐの種別に基づいて、複数のソレノイド１１２を制御し、上記のような複数のシャッター８５の選択的な開閉を実施する。  
【００５７】
一方、入力部１１４に、読取り部１１５に代えて、温度・湿度を検出するセンサー部１１７を設け、或いは読取り部１１５に加えて、温度・湿度を検出するセンサー部１１７を設けることも好ましい。センサー部１１７は、プラテン３４の近傍に配設され、プラテン３４廻りの雰囲気の温度・湿度を検出する。そして、制御テーブル１１６として、プラテン３４廻りの雰囲気の温度・湿度と、複数のシャッター８５の開閉との関係を規定したもの、或いはロール紙Ｐの種別と、プラテン３４廻りの雰囲気の温度・湿度と、複数のシャッター８５の開閉との関係を規定したものとする。
【００５８】
この場合には、プラテン３４廻りの雰囲気の温度・湿度に基づいて、シャッター８５の選択的な開閉が行われ、或いはロール紙Ｐの種別にプラテン３４廻りの雰囲気の温度・湿度を加味したものに基づいて、シャッター８５の選択的な開閉が行われる。
【００５９】
このように、シャッター８５の開閉を自動で行うようにすれば、ロール紙Ｐを常に適切な姿勢で送ることができ、印刷品質を安定に維持することができる。
【００６０】
次に、図１０を参照して、第３実施形態に係るプラテン装置５０Ｂに付き、主に第１実施形態と異なる部分について説明する。この実施形態では、第１吸引領域７１、一対の第２吸引領域７２および一対の第３吸引領域７３（計５つ）に対し、後述するダンパー１２３の操作により選択的な吸引を実施できるようになっている。
【００６１】
第３実施形態のプラテン装置５０Ｂでは、プラテン３４の吸引チャンバー６２が、第１吸引領域７１、一対の第２吸引領域７２および一対の第３吸引領域７３にそれぞれ対応して、５つの個別チャンバー１２１に区画されている。また、吸引チャンバー６２に接続されるプラテン側ダクト５４が、縦長の５つの個別ダクト１２２（エアー流路）に仕切られている。そして、各個別ダクト１２２には、それぞれダンパー１２３が組み込まれている。なお、ファン側ダクト５５（合流流路）は、５つの個別ダクト１２２による流路が合流して吸引ファン５１に連通するように、単一の流路構成となっている。
【００６２】
各ダンパー１２３は、ダンパーブレード１２５と、ダンパーブレード１２５を回動自在に支持する支軸１２６と、支軸１２６を回動操作するためのダンパー操作子１２７と、を有している。ダンパー操作子１２７は、ダンパー１２３の外側に露出しており、ダンパー操作子１２７を操作して、ダンパーブレード１２５を流路と平行に回動させることにより、個別ダクト１２２が開放状態となり、ダンパーブレード１２５を流路と直角に回動させることにより、個別ダクト１２２が閉塞状態となる。例えば、図示の両外端部に位置する２つのダンパー１２３を閉塞すると、一対の第３吸引領域７３からはエアーの吸引が行われず、第１吸引領域７１および一対の第２吸引領域７２からエアーの吸引が行われる。
【００６３】
このような構成では、第１吸引領域７１、一対の第２吸引領域７２および一対の第３吸引領域７３に対応した５つ個別ダクト１２２に、それぞれダンパー１２３を設けるようにしているため、５つのダンパー１２３の選択的な開閉により、第１吸引領域７１、一対の第２吸引領域７２および一対の第３吸引領域７３を介して、送られてゆくロール紙Ｐに対し、部分的に且つ選択的に吸引力を作用させることができる。すなわち、ロール紙Ｐの種別や性状等に合わせて、ロール紙Ｐの吸着形態を変更することができる。したがって、導入する各種のロール紙Ｐを、プラテン３４上において適正な姿勢とすることができ、印刷品質を安定に維持することができる。
【００６４】
ところで、上記のダンパー操作子１２７にロータリー式のソレノイド１１２を連結し、ダンパー１２３の開閉を自動で行うことしも可能である。かかる場合には、第２実施形態と同様に、各ソレノイド１１２を制御部１１３および入力部１１４に接続し、上記のような制御を実施する（図９：第２実施形態参照）。
【００６５】
このように、ダンパー１２３の開閉を自動で行うようにすれば、ロール紙Ｐを常に適切な姿勢で送ることができ、印刷品質を安定に維持することができる。
【００６６】
なお、本実施形態では、プラテン装置を、シリアル型の印刷装置（インクジェットプリンタ）に搭載した場合について説明したが、本発明のプラテン装置は、ライン型の印刷装置（インクジェットプリンタ）にも適用可能である。また、第１実施形態および第２実施形態において、第１吸引領域および第２吸引領域には、シャッターを設けない構成としたが、この部分にもシャッターを設けるようにしてもよい。また、シャッターを上板の内側に組み込むようにしてもよい。但し、この場合には、別途操作子を設け、シャッターをプラテンの外側から操作できるようにする。
【符号の説明】
【００６７】
１  印刷装置、１５  排紙口、１７  ロール紙収納部、２３  プラテン部フレーム、３１  紙送り経路、３２  紙送り機構、３３  印刷機構、３４  プラテン、３６  給紙ローラー、３８  送りローラー、３９  排紙ローラー、４１  印刷ヘッド、４２  キャリッジ、４４  移動機構、５０，５０Ａ，５０Ｂ  プラテン装置、５１  吸引ファン、５２  吸引ダクト、５４  プラテン側ダクト、５５  ファン側ダクト、６０  吸引領域、６１  上板、６２  吸引チャンバー、７１  第１吸引領域、７２  第２吸引領域、７３  第３吸引領域、７５  個別領域（吸引領域）、７８  第２ガイドリブ、８３  円形吸引口、８５  シャッター、８６  凹部表面、９１  ベース板、９２  サイド板、９３  円形貫通口、９４  指掛け部、１０１  クリック溝、１０２  第１クリック溝、１０３  第２クリック溝、１０８  クリック突起、１１２  ソレノイド、１１３  制御部、１１４  入力部、１１６  制御テーブル、１２１  個別チャンバー、１２２  個別ダクト、１２３  ダンパー、Ｐ  ロール紙
【図１】
2014172393.tif 000003
【図２】
2014172393.tif 000004
【図３】
2014172393.tif 000005
【図４】
2014172393.tif 000006
【図５】
2014172393.tif 000007
【図６】
2014172393.tif 000008
【図７】
2014172393.tif 000009
【図８】
2014172393.tif 000010
【図９】
2014172393.tif 000011
【図１０】
2014172393.tif 000012